(57)【特許請求の範囲】
【請求項１】
それぞれ異なる周波数帯の高周波信号を増幅する複数の前段増幅手段と、
これら前段増幅手段から供給された出力信号を増幅して出力し、継続的に電源が供給されている１台の終段増幅手段と、
前記各前段増幅手段のうち少なくとも選択されたものの出力側と前記終段増幅手段の入力側との間に設けられた可変減衰手段と、
前記選択された前段増幅手段への電源を非供給とする切換手段とを、
具備し、前記可変減衰手段は、
前記選択された前段増幅手段の出力側に接続された入力側と、前記終段増幅手段の入力側に接続された出力側との間に接続されたインピーダンス整合手段を有し、このインピーダンス整合手段は、電源が継続的に供給されており前記電源と前記入力側との間に電流を流すように導通し、直列に抵抗器が接続されている第１のＰＩＮダイオードと、前記電源が継続的に供給されており前記電源と前記出力側との間に電流を流すように導通し、直列に抵抗器が接続されている第２のＰＩＮダイオードとが直列に接続された直列回路を含み、かつ前記入力側及び前記出力側でインピーダンス整合しており、
さらに、前記可変減衰手段は、
前記インピーダンス整合手段と並列に前記入力側及び出力側間に直列に接続された第３及び第４のＰＩＮダイオードを含み、第３のＰＩＮダイオードは可変抵抗器を介して電源が供給されており、前記可変抵抗器と前記入力側との間に電流を流し、第４のＰＩＮダイオードは前記可変抵抗器を介して前記電源が供給されており、前記可変抵抗器と前記出力側との間に電流を流し、前記切換手段が、前記選択された前段増幅手段への電源を非供給としたとき、前記可変抵抗器にも前記電源が非供給とされる
高周波増幅器。
【請求項２】
それぞれ異なる周波数帯の高周波信号を増幅する複数の前段増幅手段と、
これら前段増幅手段から供給された出力信号を増幅して出力し、継続的に電源が供給されている１台の終段増幅手段と、
前記各前段増幅手段に対応してそれぞれ設けられ、対応する前記前段増幅手段に対して前記電源の供給及び遮断状態の一方に切り換える複数の切換手段と、
前記各前段増幅手段の出力側と前記終段増幅手段の入力側との間にそれぞれ設けられた複数の可変減衰手段とを、具備し、
前記各可変減衰手段は、
前記対応する前段増幅手段の出力側に接続された入力側と、前記終段増幅手段の入力側に接続された出力側との間に接続されたインピーダンス整合手段を有し、このインピーダンス整合手段は、電源が継続的に供給されており前記電源と前記入力側との間に電流を流すように導通し、直列に抵抗器が接続されている第１のＰＩＮダイオードと、前記電源が継続的に供給されており前記電源と前記出力側との間に電流を流すように導通し、直列に抵抗器が接続されている第２のＰＩＮダイオードとが直列に接続された直列回路を含み、かつ前記入力側及び前記出力側でインピーダンス整合しており、
さらに、前記可変減衰手段は、
前記インピーダンス整合手段と並列に前記入力側及び出力側間に直列に接続された第３及び第４のＰＩＮダイオードを含み、第３のＰＩＮダイオードは可変抵抗器を介して電源が供給されており、前記可変抵抗器と前記入力側との間に電流を流し、第４のＰＩＮダイオードは前記可変抵抗器を介して前記電源が供給されており、前記可変抵抗器と前記出力側との間に電流を流し、対応する前記切換手段によって、対応する前記前段増幅手段への電源を非供給としたとき、前記可変抵抗器にも前記電源が非供給とされ、対応する前記前段増幅手段へ前記電源が供給されたとき、前記可変抵抗器にも前記電源が供給される
高周波増幅器。
【発明の詳細な説明】
【技術分野】
【０００１】
本発明は、高周波増幅器に関し、特に複数の周波数帯の高周波信号を増幅するものに関する。
【背景技術】
【０００２】
高周波増幅器は、例えばＵＨＦ帯及びＶＨＦ帯で送信されている地上アナログテレビジョン放送信号を増幅するブースタとして使用されることがある。ところで、テレビジョン放送として、従来から行われた地上アナログ放送に加えて、地上デジタル放送がＵＨＦ帯を使用して開始され、２０１１年には地上アナログ放送は終了する。地上アナログ放送の終了後には、ブースタにおいて地上アナログ放送が行われていたＶＨＦ帯の増幅を継続すると、アナログテレビ放送に代わる他の高周波信号を増幅することになり、ＵＨＦ帯の地上デジタル放送信号の増幅に支障をきたす可能性がある。
【０００３】
この点を改善するために、例えば特許文献１に開示されているような技術が提案されている。この技術では、ＵＨＦ帯用の増幅器と、ＶＨＦ帯用の増幅器とを設けてある。これら増幅器に対する電源部は、２種類の直流電圧を発生し、一方の直流電圧が供給されている場合には、ＶＨＦ帯用の増幅器への電源供給を停止し、ＵＨＦ帯用の増幅器へ電源を供給し、他方の直流電圧が供給されている場合には、ＵＨＦ帯用及びＶＨＦ帯用の増幅器それぞれに電源を供給する。
【０００４】
【特許文献１】特開２００６−３３３６４号公報
【発明の開示】
【発明が解決しようとする課題】
【０００５】
特許文献１の技術によれば、ＶＨＦ帯用の増幅器の動作を停止させることができる。しかし、この構成では、ＶＨＦ帯用の増幅器も、ＵＨＦ帯用の増幅器も共に電力増幅器を備えたものとしなければならず、高周波増幅器のコストがアップする。
【０００６】
本発明は、異なる周波数帯のうち不要となった周波数帯の高周波信号の増幅を中止することができる低コストの高周波増幅器を提供することを目的とする。
【課題を解決するための手段】
【０００７】
本発明の一態様の高周波増幅器は、それぞれ異なる周波数帯の高周波信号を増幅する複数の前段増幅手段を有している。これら前段増幅手段は、例えばＵＨＦ帯を増幅するものと、ＶＨＦ帯を増幅するものにすることもできるし、例えば低ＶＨＦ帯と高ＶＨＦ帯とすることもできる。これら前段増幅手段から供給された出力信号を、１台の終段増幅手段が、増幅して出力する。即ち、終段増幅手段は、複数の前段増幅手段に対して共通である。この終段増幅手段には、継続的に電源が供給されている。この終段増幅手段は、電力増幅手段であることが望ましい。前記各前段増幅手段のうち少なくとも選択されたものの出力側と前記終段増幅手段の入力側との間に可変減衰手段が設けられている。前記選択された前段増幅手段への電源を切換手段が非供給とする。前記可変減衰手段は、前記選択された前段増幅手段の出力側に接続された入力側と、前記終段増幅手段の入力側に接続された出力側との間に接続されたインピーダンス整合手段を有している。このインピーダンス整合手段は、電源が継続的に供給されており前記電源と前記入力側との間に電流を流すように導通し、直列に抵抗器が接続されている第１のＰＩＮダイオードと、前記電源が継続的に供給されており前記電源と前記出力側との間に電流を流すように導通し、直列に抵抗器が接続されている第２のＰＩＮダイオードとが、直列に接続された直列回路を含み、かつ前記入力側及び前記出力側でインピーダンス整合している。さらに、前記可変減衰手段は、前記インピーダンス整合手段と並列に前記入力側及び出力側間に直列に接続された第３及び第４のＰＩＮダイオードを含んでいる。第３のＰＩＮダイオードは可変抵抗器を介して電源が供給されており、前記可変抵抗器と前記入力側との間に電流を流す。第４のＰＩＮダイオードは前記可変抵抗器を介して前記電源が供給されており、前記可変抵抗器と前記出力側との間に電流を流す。前記切換手段が、前記選択された前段増幅手段への電源を非供給としたとき、前記可変抵抗器にも前記電源が非供給とされる。
【０００８】
本発明の他の態様の高周波増幅器は、それぞれ異なる周波数帯の高周波信号を増幅する複数の前段増幅手段と、これら前段増幅手段から供給された出力信号を増幅して出力し、継続的に電源が供給されている１台の終段増幅手段と、前記各前段増幅手段に対応してそれぞれ設けられ、対応する前記前段増幅手段に対して前記電源の供給及び遮断状態の一方に切り換える複数の切換手段と、前記各前段増幅手段の出力側と前記終段増幅手段の入力側との間にそれぞれ設けられた複数の可変減衰手段とを、具備している。前記各可変減衰手段は、前記対応する前段増幅手段の出力側に接続された入力側と、前記終段増幅手段の入力側に接続された出力側との間に接続されたインピーダンス整合手段を有している。このインピーダンス整合手段は、電源が継続的に供給されており前記電源と前記入力側との間に電流を流すように導通し、直列に抵抗器が接続されている第１のＰＩＮダイオードと、前記電源が継続的に供給されており前記電源と前記出力側との間に電流を流すように導通し、直列に抵抗器が接続されている第２のＰＩＮダイオードとが、直列に接続された直列回路を含み、かつ前記入力側及び前記出力側でインピーダンス整合している。さらに、前記可変減衰手段は、前記インピーダンス整合手段と並列に前記入力側及び出力側間に直列に接続された第３及び第４のＰＩＮダイオードを含んでいる。第３のＰＩＮダイオードは可変抵抗器を介して電源が供給されており、前記可変抵抗器と前記入力側との間に電流を流す。第４のＰＩＮダイオードは前記可変抵抗器を介して前記電源が供給されており、前記可変抵抗器と前記出力側との間に電流を流す。対応する前記切換手段によって、対応する前記前段増幅手段への電源を非供給としたとき、前記可変抵抗器は、前記電源が非供給とされ、対応する前記前段増幅手段へ前記電源が供給されたとき前記電源が供給される。
【発明の効果】
【００１３】
以上のように、本発明によれば、不要となった周波数帯の高周波信号の増幅を中止することができる高周波増幅器を、低コストで実現することができる。
【発明を実施するための最良の形態】
【００１４】
本発明の１実施形態の高周波増幅器は、複数の周波数帯、例えば高ＶＨＦ帯（１７０〜２２２ＭＨｚ帯）と低ＶＨＦ帯（７０〜１０８ＭＨｚ帯）の地上アナログテレビジョン放送信号を増幅する。この高周波増幅器は、例えば共同聴視システムの伝送路中に介在する増幅器、例えば幹線増幅器として使用する。
【００１５】
このブースタは、高ＶＨＦ帯と低ＶＨＦ帯の地上アナログテレビジョン放送信号とが供給される分波器２を有している。分波器２で分波された低ＶＨＦ帯の地上アナログテレビジョン放送信号は、切換スイッチ４の接触子４ａ、接点４ｂを介して前段増幅手段、例えば低ＶＨＦ帯用電圧増幅器６の入力側に接続されている。切換スイッチ４は、他に接点４ｃも有し、これと基準電位、例えば接地電位との間にはインピーダンス整合用の抵抗器８が接続されている。切換スイッチ４の接触子４ａは、接点４ｂまたは４ｃに接触する。
【００１６】
低ＶＨＦ帯用電圧増幅器６の正電源端子６Ｐは、切換スイッチ４と連動する切換スイッチ１０の接点１０ｂに接続されている。この接点１０ｂには、正の直流電源＋Ｖに接続されている接触子１０ａが接触可能である。切換スイッチ１０は、接点１０ｃも有し、これは空き接点である。従って、接触子１０ａが接点１０ｂに接触しているとき、低ＶＨＦ帯用電圧増幅器６の正電源端子６Ｐには＋Ｖの電圧が供給され、接触子１０ａが空き接点１０ｃに接触しているとき、低ＶＨＦ帯用電圧増幅器６の正電源端子６Ｐには＋Ｖの電圧が供給されない。なお、低ＶＨＦ帯用電圧増幅器６の負電源端子６Ｎは接地電位に接続されている。
【００１７】
切換スイッチ４、１０が切換手段を構成し、これらは連動し、切換スイッチ４の接触子４ａが接点４ｂに接触しているとき、切換スイッチ１０の接触子１０ａは接点１０ｂに接触する。切換スイッチ４の接触子４ａが接点４ｃに接触しているとき、切換スイッチ１０の接触子１０ａは接点１０ｃに接触する。
【００１８】
低ＶＨＦ帯用電圧増幅器６の出力は、可変減衰手段、例えばＰＩＮ減衰器１２の入力端子１２ＩＮに供給されている。図２に示すように、入力端子１２ＩＮと接地電位との間には抵抗器１４が接続されている。入力端子１２ＩＮにはＰＩＮダイオード１６のカソードが接続され、アノードは抵抗器１８を介して電源端子１２Ｐに接続されている。電源端子１２Ｐには、図１に示すように＋Ｖｃｃの正の直流電圧が供給されている。電源端子１２Ｐは抵抗器２０を介してＰＩＮダイオード２２のアノードに接続され、そのカソードは出力端子１２ＯＵＴに接続されている。出力端子１２ＯＵＴと接地電位との間には抵抗器２４が接続されている。これら抵抗器１４、１８、２０、２４は、ＰＩＮダイオード１６、２２が導通している状態において、入力端子１２ＩＮから低ＶＨＦ帯用電圧増幅器６を見たインピーダンスと、入力端子１２ＩＮからＰＩＮ減衰器１２を見たインピーダンスが一致するように、出力端子１２ＯＵＴから後述する合成器を見た入力インピーダンスと、出力端子１２ＯＵＴにおける出力インピーダンスが一致するように、それぞれ値が設定されている。
【００１９】
入力端子１２ＩＮにはＰＩＮダイオード２６のカソードが接続され、そのアノードは、可変抵抗器２８の腕に接続されている。同様に、出力端子１２ＯＵＴにはＰＩＮダイオード３０のカソードが接続され、そのアノードは可変抵抗器２８の腕に接続されている。この可変抵抗器２８の一端は、接地電位に接続され、他端は制御信号供給端子、例えば制御電圧供給端子１２Ｃに接続されている。この制御電圧供給端子１２Ｃは、図１に示すように切換スイッチ１０の接点１０ｂに接続されている。従って、切換スイッチ１０の接触子１０ａが接点１０ｂに接触したとき、＋Ｖｃｃの電圧が制御電圧供給端子１２Ｃにも供給され、可変抵抗器２８の腕を調整することによってＰＩＮダイオード２６、３０に供給される電流が変化し、その導通状態が変化し、入力端子１２ＩＮに供給された低ＶＨＦ帯の地上アナログテレビジョン放送信号が減衰されて、出力端子１２ＯＵＴから出力される。
【００２０】
分波器２で分波された高ＶＨＦ帯の地上アナログテレビジョン放送信号も、切換スイッチ４と同じ構成の切換スイッチ３２を介して高ＶＨＦ帯用電圧増幅器３４に供給される。即ち、切換スイッチ３２は、接触子３２ａ、接点３２ｂ、３２ｃを有し、接点３２ｂは高ＶＨＦ帯用電圧増幅器３４の入力側に接続され、接点３２ｃはインピーダンス整合用抵抗器３６を介して接地されている。高ＶＨＦ帯用電圧増幅器３４の電源端子３４Ｐは、切換スイッチ１０と同様な切換スイッチ３８の接点３８ｂに接続され、その接触子３８ａは＋Ｖｃｃに接続され、接点３８ｃは空き接点である。切換スイッチ３２、３８は、切換スイッチ４、１０と同様に連動する。
【００２１】
また、高ＶＨＦ帯用電圧増幅器３４の出力側は、ＰＩＮ減衰器１２と同一の構成のＰＩＮ減衰器４０の入力端子４０ＩＮに供給されている。ＰＩＮ減衰器４０は、電源端子４０Ｐと制御電圧供給端子４０Ｃと出力端子４０ＯＵＴを有し、電源端子４０Ｐは、＋Ｖｃｃに接続され、制御電圧供給端子４０Ｃは、切換スイッチ３８の接点３８ｂに接続されている。
【００２２】
ＰＩＮ減衰器１２、４０の出力端子１２ＯＵＴ、４０ＯＵＴに生じた出力は、合成器４２によって合成され、終段増幅手段、例えば電力増幅器４４に入力され、ここで増幅されて出力される。電力増幅器４４の正電源端子４４Ｐは、ダイオード４６、４８のカソードに接続されている。ダイオード４６のアノードは、切換スイッチ１０の接点１０ｂに接続され、ダイオード４８のアノードは、切換スイッチ３８の接点３８ｂに接続されている。また、電力増幅器４４の負電源端子４４Ｎは接地電位に接続されている。従って、切換スイッチ１０の接触子１０ａが接点１０ｂに接触しているか、切換スイッチ３８の接触子３８ａが接点３８ｂに接触しているかいずれかで、低ＶＨＦ帯用電圧増幅器６または高ＶＨＦ帯用電圧増幅器３４のいずれかが動作している限り、電力増幅器４４は動作する。
【００２３】
このように構成されたブースタでは、低ＶＨＦ帯及び高ＶＨＦ帯での地上アナログテレビジョン放送が行われている状態では、低ＶＨＦ帯地上アナログテレビジョン放送信号及びその近傍の周波数帯で放送されているＦＭラジオ放送信号を増幅するために、切換スイッチ４、１０の接触子４ａ、１０ａを接点４ｂ、１０ｂに接触させる。これによって、低ＶＨＦ帯用電圧増幅器６に＋Ｖｃｃの電圧が供給され、低ＶＨＦ帯用電圧増幅器６に分波器２から低ＶＨＦ帯の地上アナログテレビジョン放送信号及びＦＭラジオ放送信号が供給され、低ＶＨＦ帯の地上アナログテレビジョン放送信号及びＦＭラジオ放送信号が低ＶＨＦ帯用電圧増幅器６によって増幅される。このとき、同時に切換スイッチ１０の接点１０ｂから制御電圧がＰＩＮ減衰器１２の制御電圧供給端子１２Ｃに供給されているので、図２に示す可変抵抗器２８の腕を操作することによって、低ＶＨＦ帯用電圧増幅器６から増幅されて出力された低ＶＨＦ帯の地上アナログテレビジョン放送信号及びＦＭラジオ放送信号が、所望の減衰量に減衰される。
【００２４】
高ＶＨＦ帯の地上アナログテレビジョン放送信号を増幅するために、切換スイッチ３２、３８の接触子３２ａ、３８ａを接点３２ｂ、３８ｂに接触させる。これによって、高ＶＨＦ帯用電圧増幅器３４に＋Ｖｃｃの電圧が供給され、高ＶＨＦ帯用電圧増幅器３４に分波器２から高ＶＨＦ帯の地上アナログテレビジョン放送信号が供給され、高ＶＨＦ帯の地上アナログテレビジョン放送信号が高ＶＨＦ帯用電圧増幅器３４によって増幅される。このとき、同時に切換スイッチ３８の接点３８ｂから制御電圧がＰＩＮ減衰器４０の制御電圧供給端子４０Ｃに供給されているので、図２に示す可変抵抗器２８に相当するＰＩＮ減衰器４０内の可変抵抗器の腕を操作することによって、高ＶＨＦ帯用電圧増幅器３４から増幅されて出力された高ＶＨＦ帯の地上アナログテレビジョン放送信号が、所望の減衰量に減衰される。
【００２５】
これらＰＩＮ減衰器１２、４０からの出力は、合成器４２で合成され、電力増幅器４４に供給される。このとき電力増幅器４４の正電源端子４４Ｐには、ダイオード４６、４８を介して切換スイッチ１０、３８の接点１０ｂ、３８ｂを介して＋Ｖｃｃの電圧が供給されており、電力増幅器４４は動作している。
【００２６】
例えば地上アナログテレビジョン放送が終了し、低ＶＨＦ帯のＦＭラジオ放送信号の増幅は継続するが、高ＶＨＦ帯の地上アナログテレビジョン放送信号の増幅を中止する場合、切換スイッチ３２の接触子３２ａを接点３２ｃ側に、切換スイッチ３８の接触子３８ａを接点３８ｃ側に切り換える。切換スイッチ３２の接触子３２ａの接点３２ｃ側への切換によって、分波器２からの高ＶＨＦ帯の高周波信号はインピーダンス整合用の抵抗器３６を介して接地され、高ＶＨＦ帯電圧増幅器３４には供給されない。また、切換スイッチ３８の接触子３８ａを接点３８ｃ側に切換えたことによって高ＶＨＦ帯電圧増幅器３４の正電源端子３４Ｐには＋Ｖｃｃの電圧は供給されず、高ＶＨＦ帯電圧増幅器３４は動作しない。また、ＰＩＮ減衰器４０の制御電圧端子４０Ｃへの＋Ｖｃｃの供給も停止される。但し、ＰＩＮ減衰器１２と同一減衰器４０の正電源端子４０Ｐには＋Ｖｃｃの電圧が供給され続けているので、図２の示すＰＩＮダイオード１６、２２に相当するＰＩＮ減衰器４０のＰＩＮダイオードは導通している。従って、ＰＩＮ減衰器４０の出力端子４０ＯＵＴから合成器４２を見た出力インピーダンスは、合成器４２の入力インピーダンスと一致しており、高ＶＨＦ帯電圧増幅器３４が動作していないことによるインピーダンス不整合の問題は生じない。
【００２７】
このとき、電力増幅器４４の正電源端子４４Ｐには、ダイオード４６を介して切換スイッチ１０の接点１０ｂから＋Ｖｃｃの電圧が供給され、電力増幅器４４は正常に動作している。
【００２８】
低ＶＨＦ帯での増幅を中止し、高ＶＨＦ帯での増幅を継続する場合には、切換スイッチ４、１０の接触子４ａを接点４ｃ、接触子１０ａを接点１０ｃ側に切り換え、切換スイッチ３２、３８の接触子３２ａを接点３２ｂに、接触子３８ａを接点３８ｂに切り換えた状態を維持する。
【００２９】
低ＶＨＦ帯及び高ＶＨＦ帯いずれでの増幅も不要となった場合には、切換スイッチ４、１０の接触子４ａ、１０ａを接点４ｃ、１０ｃ側に切り換え、切換スイッチ３２、３８の接触子３２ａ、３８ａを接点３２ｃ、３８ｃ側に切り換える。このとき、電力増幅器４４への＋Ｖｃｃの供給も中止されるので、無駄な電力消費が生じない。
【００３０】
図には示していないが、このブースタでは、ＵＨＦ帯の地上デジタル及びアナログテレビジョン放送信号を増幅するための増幅部や、衛星放送や衛星通信の中間周波信号を増幅するための増幅部が設けられ、電力増幅器４４の出力と合成されて、出力されている。
【００３１】
上記の実施形態において、例えば低ＶＨＦ帯においてＦＭラジオ放送信号のみを受信する場合、分波器２の低ＶＨＦ帯の出力側にＦＭラジオ放送信号を抽出するフィルタ手段、例えばバンドパスフィルタを別の切換スイッチの操作によって挿入するように構成することもできる。
【００３２】
上記の実施形態では、本発明による高周波増幅器を共同受信システムの線路中に介在する増幅器として使用したが、これに限ったものではなく、例えばテレビ放送受信用アンテナで受信したテレビジョン放送信号等を増幅してテレビジョン受信機に供給するブースタとして使用することもできる。
【００３３】
上記の実施形態では、低ＶＨＦ帯用の電圧増幅器６及び高ＶＨＦ帯用の電圧増幅器３４の双方とも電圧供給状態及び電圧遮断状態とするように構成したが、例えば電圧供給状態及び遮断状態とするのを、いずれか一方例えば高ＶＨＦ帯用の電圧増幅器３４のみとすることもできる。その場合、切換スイッチ４、１０は除去され、分波器２の低ＶＨＦ帯の高周波信号がそのまま低ＶＨＦ帯用電圧増幅器６の入力側に供給され、電圧増幅器６の正電源端子６Ｐ及びＰＩＮ減衰器１２の制御電圧供給端子１２Ｃには＋Ｖｃｃの電圧が直接に供給される。
【００３４】
上記の実施形態では、この高周波増幅器で増幅する周波数帯を、低ＶＨＦ帯と高ＶＨＦ帯としたが、これに限ったものではなく、例えばＶＨＦ帯とＵＨＦ帯とすることもできる。この場合、ＶＨＦ帯を増幅する電圧増幅器の電源端子と、この電圧増幅器に付随するＰＩＮ減衰器の制御電圧供給端子とに電圧の供給、遮断を行う。
【００３５】
上記の実施形態では、ＰＩＮ減衰器を使用したがこれに限ったものではなく、制御信号によって減衰量を可変することができるものであれば種々のものを使用することができる。
【図面の簡単な説明】
【００３６】
【図１】本発明の１実施形態の高周波増幅器のブロック図である。
【図２】図１の高周波増幅器で使用しているＰＩＮ減衰器の回路図である。
【符号の説明】
【００３７】
４  切換スイッチ（切換手段）
６  低ＶＨＦ帯用電圧増幅器（前段増幅器）
１０  切換スイッチ（切換手段）
１２  ＰＩＮ減衰器（可変減衰手段）
３２  切換スイッチ（切換手段）
３４  高ＶＨＦ帯用電圧増幅器（前段増幅器）
３８  切換スイッチ（切換手段）
４０  ＰＩＮ減衰器（可変減衰手段）
４４  電力増幅器（終段増幅手段）
【図１】
0004675943.tif 000002
【図２】
0004675943.tif 000003